(57)【要約】【課題】両面印刷ユニットを画像形成装置に装着した際、簡単な構成でフェイスアップ排紙を行うことができるようにする。【解決手段】両面印刷ユニット１９は、記録用紙を反転させて画像形成部に送る記録用紙反転部と、定着ユニット１８と記録用紙反転部との間に位置して定着ユニットから搬送された記録用紙を記録用紙反転部に送る両面印刷搬送経路Ｒが規定された経路規定部１９ａを有している。経路規定部は画像形成装置本位１０の一側面から突出しており、経路規定部には、所定の支点軸回りに回動可能に配置されて、閉状態の際両面印刷搬送経路を規定し、開状態となった際両面印刷搬送経路をその途中で遮断して定着ユニットを通過した記録用紙をフェイスアップ状態で受ける排紙受け部材１９１が備えられている。【選択図】      図１
2004323216.tif 000002
【特許請求の範囲】
【請求項１】
記録用紙に画像を形成する画像形成部と、前記画像形成部の下流側に配置され、前記画像形成部で画像が形成された前記記録用紙を定着させる定着ユニットとを有する画像形成装置とともに用いられ、前記画像形成装置に配置され、前記定着ユニットを通過して一面側に画像が形成された記録用紙を受けて該記録用紙の面を反転させて、前記画像形成部に送る両面印刷ユニットであって、
前記記録用紙を反転させて前記画像形成部に送る記録用紙反転部と、
前記定着ユニットと前記記録用紙反転部との間に位置して前記定着ユニットから搬送された記録用紙を前記記録用紙反転部に送る両面印刷搬送経路が規定された経路規定部を備え、
前記経路規定部は前記画像形成装置の一側面から突出しており、
前記経路規定部には、所定の支点軸回りに回動可能に配置されて、閉状態の際前記両面印刷搬送経路を規定し、開状態となった際前記両面印刷搬送経路をその途中で遮断して前記定着ユニットを通過した記録用紙をフェイスアップ状態で受ける排紙受け部材が備えられていることを特徴とする両面印刷ユニット。
【請求項２】
前記画像形成装置に着脱可能であることを特徴とする請求項１に記載の両面印刷ユニット。
【請求項３】
前記両面印刷搬送経路は、前記定着ユニット側に位置して略水平に延びる水平部と、
該水平部の下流側に位置して円弧状に延びる円弧状部と、
該円弧状部の下流側に位置して略鉛直方向に延びる垂直部とを有し、
前記排紙受け部材は前記水平部及び前記円弧状部に対応して設けられ、前記円弧状部の下端に対応して前記支点軸が設けられていることを特徴とする請求項１又は２に記載の両面印刷ユニット。
【請求項４】
前記排紙受け部材は、両面印刷ユニット本体外装の一部を構成し、前記両面印刷搬送経路を規定するカバーと、
該カバーの内側面に形成され、前記両面印刷経路に沿って延びるリブ部とを有し、
前記排紙受け部材が閉じられた際該リブ部の下端は前記支点軸よりも下側に位置しており、
前記排紙受け部材が開状態となった際前記リブ部の下端で前記両面印刷搬送経路がその途中で遮断されるようにしたことを特徴とする請求項３に記載の両面印刷ユニット。
【請求項５】
前記排紙受け部材が閉じられた状態でリブ部の下端部には下流側に向かって外側に傾斜する傾斜部が規定されており、
前記排紙受け部材が開状態となった際、前記傾斜部が前記定着ユニット側から下流側に向かって上向きに傾斜する状態となるようにしたことを特徴とする請求項４に記載の両面印刷ユニット。
【請求項６】
前記排紙受け部材が開状態となったことを検知してカバー開信号を送出する検知手段が備えられ、
前記画像形成装置には、前記定着ユニットに繋がる排紙経路と、該排紙経路を介して前記記録用紙をフェイスダウンで受ける排紙トレイと、前記定着ユニットを前記両面印刷搬送経路又は前記排紙経路に選択的に繋ぐ経路切り替え部材と、該カバー開信号に応答して前記経路切り替え部材を制御して前記定着ユニットと前記両面印刷搬送経路とを繋ぐ制御手段とが備えられていることを特徴とする請求項１〜５のいずれかに記載の両面印刷ユニット。
【発明の詳細な説明】
【０００１】
【発明の属する技術分野】
本発明は、電子写真プロセスを用いた複写機、プリンタ、又はファクシミリ等の画像形成装置に関し、特に、画像形成装置で用いられる両面印刷ユニットに関するものである。
【０００２】
一般に、画像形成装置として、画像形成部で記録用紙の一面側（第１の面）に画像形成（印字）を行った後、第１の面に画像形成済み記録用紙を反転して、再び画像形成部に搬送して、記録用紙の他面側（第２の面）に画像形成を行って、記録用紙の両面に画像を形成する画像形成装置が知られている。
【０００３】
両面印刷に対応するためには、画像形成装置に、両面印刷ユニットを備えて、両面印刷モードの際に、片面に画像形成済みの記録用紙を両面印刷ユニットに送って、両面印刷ユニットで記録用紙を反転させた後、記録用紙を再度画像形成部に送って、他面側に画像形成を行っている。
【０００４】
ところで、片面印刷モードの際には、記録用紙を両面印刷ユニットに送ることなく、記録用紙を排紙トレイ等に排紙することになるが、この際、印刷面を上向きにして排紙トレイに排紙する所謂フェイスアップ排紙と、印刷面を下向きにして排紙トレイに排紙する所謂フェイスダウン排紙とがあり、同様にして、両面印刷の際にも、第２の面を上向きにして記録用紙を排紙トレイに排紙する場合がフェイスアップ排紙であり、第２の面を下向きにして排紙する場合がファイスダウン排紙である。
【０００５】
フェイスアップ排紙とフェイスダウン排紙においては、排紙トレイに排紙された記録用紙のページ順序が逆となる。このため、近年では、ユーザが必要に応じてフェイスアップ排紙又はフェイスダウン排紙を選択できるようにした画像形成装置が知られている。
【０００６】
例えば、定着ユニットを通過した記録用紙は、排紙経路を介して画像形成装置本体の上部に設けられた排紙トレイにフェイスダウン排紙される。一方、フェイスアップ排紙を行う場合には、別に設けられたフェイスアップ用トレイに記録用紙を排紙する。
【０００７】
ところが、前述のようにして、両面印刷ユニットを画像形成装置に装着すると、フェイスアップ用トレイを用いることができない場合がある。このような不具合を防止するため、両面印刷ユニットを容易に画像形成装置本体に装着でき、しかもフェイスアップ排紙を行えるようにした画像形成装置が知られている。
【０００８】
ここでは、両面画像形成を行う際には、フェイスアップ用トレイを略垂直の位置に閉じる。これによって、カム部材５８によって中継トレイが押し上げられ、記録用紙がフェイスアップ用トレイと中継トレイとで形成されたパス５５へ搬送される。
一方、フェイスアップ排紙を行う際には、フェイスアップ用トレイを水平に近い位置）に開く。これによって、カム部材に押し上げられていた中継トレイが自重でカム部材に追従してフェイスアップ用トレイと略平行となる図示の位置まで降下する（特許文献１参照）。
【０００９】
【特許文献１】
特開平８−１８８３４４号公報（段落（００６０）〜段落（００６５）、第１図〜第３図）。
【００１０】
【発明が解決しようとする課題】
ところで、特許文献１に記載された画像形成装置では、フェイスアップ用トレイを開くと、カム部材に押し上げられていた中継トレイが自重によってフェイスアップ用トレイと略平行となって、これによって、記録用紙がフェイスアップ状態で、中継トレイを介してフェイスアップ用トレイに排紙されるようにしているものの、フェイスアップ用トレイの開閉動作に中継トレイを連動させる必要があり、このため、スライド棒部材及びカム部材等を備える連動機構が必要となって、構成が極めて複雑となってしまうという課題がある。
【００１１】
さらに、特許文献１に記載された画像形成装置においては、中継トレイが必要となって部品点数が増加してしまうという課題もある。
【００１２】
本発明の目的は、画像形成装置に装着した際、簡単な構成でフェイスアップ排紙を行うことのできる両面印刷ユニットを提供することにある。
【００１３】
【課題を解決するための手段】
本発明によれば、記録用紙に画像を形成する画像形成部と、前記画像形成部の下流側に配置され、前記画像形成部で画像が形成された前記記録用紙を定着させる定着ユニットとを有する画像形成装置とともに用いられ、前記画像形成装置に配置され、前記定着ユニットを通過して一面側に画像が形成された記録用紙を受けて該記録用紙の面を反転させて前記画像形成部に送る両面印刷ユニットであって、前記記録用紙を反転させて前記画像形成部に送る記録用紙反転部と、前記定着ユニットと前記記録用紙反転部との間に位置して前記定着ユニットから搬送された記録用紙を前記記録用紙反転部に送る両面印刷搬送経路が規定された経路規定部を備え、前記経路規定部は前記画像形成装置の一側面から突出しており、前記経路規定部には、所定の支点軸回りに回動可能に配置されて、閉状態の際前記両面印刷搬送経路を規定し、開状態となった際前記両面印刷搬送経路をその途中で遮断して前記定着ユニットを通過した記録用紙をフェイスアップ状態で受ける排紙受け部材が備えられていることを特徴とする両面印刷ユニットが得られる。
【００１４】
このようにして、両面印刷ユニットの経路規定部が画像形成装置の一側面から突出して、経路規定部に、所定の支点軸回りに回動可能に配置されて、閉状態の際両面印刷搬送経路を規定し、開状態となった際両面印刷搬送経路をその途中で遮断して定着ユニットを通過した記録用紙をフェイスアップ状態で受ける排紙受け部材を備えるようにすれば、両面印刷ユニットを画像形成装置に装着した場合においても、極めて簡単な構成で記録用紙を、フェイスアップ排紙することができることになる。
【００１５】
本発明では、両面印刷ユニットは、画像形成装置に着脱可能であり、前記両面搬送経路は、前記定着ユニット側に位置して略水平に延びる水平部と、該水平部の下流側に位置して円弧状に延びる円弧状部と、該円弧状部の下流側に位置して略鉛直方向に延びる垂直部とを有し、前記排紙受け部材は前記水平部及び前記円弧状部に対応して設けられ、前記円弧状部の下端に対応して前記支点軸が設けられている。
【００１６】
このように、両面搬送経路が、定着ユニット側に位置して略水平に延びる水平部と、水平部の下流側に位置して円弧状に延びる円弧状部と、円弧状部の下流側に位置して略鉛直方向に延びる垂直部とを有して、排紙受け部材を水平部及び円弧状部に対応して設けて、円弧状部の下端に対応して支点軸を設けるようにすれば、排紙受け部材を開くだけで、他の機構を必要とすることなく、定着ユニットから送り出された記録用紙を排紙受け部材で受けることができることになる。
【００１７】
また、本発明では、前記排紙受け部材は、両面印刷ユニット本体外装の一部を構成し、前記両面印刷搬送経路を規定するカバーと、該カバーの内側面に形成され、前記両面印刷搬送経路に沿って延びるリブ部とを有し、前記排紙受け部材が閉じられた際該リブ部の下端は前記支点軸よりも下側に位置しており、前記排紙受け部材が開状態となった際前記リブ部の下端で前記両面印刷搬送経路がその途中で遮断される。
【００１８】
このように、排紙受け部材が、両面印刷ユニット本体外装の一部を構成し、両面印刷搬送経路を規定するカバーと、カバーの内側面に形成され、両面印刷搬送経路に沿って延びるリブ部とを有して、排紙受け部材が閉じられた際リブ部の下端が支点軸よりも下側に位置しているので、排紙受け部材が開状態となった際、リブ部の下端で両面印刷搬送経路がその途中で遮断されることになって、記録用紙が用紙反転部側に挿入されてしまうことがない。
【００１９】
そして、前記排紙受け部材が閉じられた状態でリブ部の下端部には下流側に向かって外側に傾斜する傾斜部が規定されており、前記排紙受け部材が開状態となった際、前記傾斜部が前記定着ユニット側から下流側に向かって上向きに傾斜する状態となる。
【００２０】
このようにして、排紙受け部材が閉じられた状態で、リブ部の下端部に下流側に向かって外側に傾斜する傾斜部を規定すれば、排紙受け部材が開状態となった際、傾斜部が定着ユニット側から下流側に向かって上向きに傾斜する状態となって、記録用紙をスムーズに排紙することができることになる。
【００２１】
また、本発明では、両面印刷ユニットには、前記排紙受け部材が開状態となったことを検知してカバー開信号を送出する検知手段が備えられ、一方、前記画像形成装置には、前記定着ユニットに繋がる排紙経路と、該排紙経路を介して前記記録用紙をフェイスダウンで受ける排紙トレイと、前記定着ユニットを前記両面印刷搬送経路又は前記排紙経路に選択的に繋ぐ経路切り替え部材と、該カバー開信号に応答して前記経路切り替え部材を制御して前記定着ユニットと前記両面印刷搬送経路とを繋ぐ制御手段とが備えられている。
【００２２】
【発明の実施の形態】
以下、本発明の実施の形態について図面を参照して説明する。但し、この実施の形態に記載されている構成部品の寸法、材質、形状、その相対配置などは特に特定的な記載がない限り、この発明の範囲をそれのみに限定する趣旨ではなく、単なる説明例にすぎない。
【００２３】
まず、図１を参照して、図示の画像形成装置は電子写真プロセスを用いた画像形成装置であり、この画像形成装置は、潜像担持体である感光体ドラム１１、現像器、帯電器、露光ユニット、及びクリーニングユニット（現像器、帯電器、露光ユニット、及びクリーニングユニットは示されていない）を備えており、帯電器によって感光体ドラム１１が帯電された後、露光ユニットによって画像データに応じて感光体ドラム１１が露光され、感光体ドラム１１上に静電潜像が形成される。その後、感光体ドラム１１上の静電潜像は現像器によって現像されてトナー像とされる。
【００２４】
画像形成装置本体１０には記録用紙が収納された給紙カセット１６が着脱可能に装着されており、この給紙カセット１６は画像形成装置本体１０の前面側（図１において右側：一面側）に引き出し可能に装着されている。給紙カセット１６に積載された記録用紙はピックアップローラ１６ａによってその１枚がピックアップされて、給送ローラ対１６ｂ及び搬送ローラ１６ｃによって用紙搬送経路Ｐを通ってレジストローラ対１６ｄに達し、感光体ドラム１１と転写ローラ１７のニップ部に送られる。そして、感光体ドラム１１上のトナー像が記録用紙上に転写されて転写像となる。
【００２５】
その後、記録用紙は用紙搬送経路Ｐを通って定着ユニット（定着ローラ対）１８に送られ、ここで、記録用紙上の転写像が定着されることになる。そして、感光体ドラム１１上に残った残留トナーはクリーニングユニットで除去されることになる。なお、前述の感光体ドラム１１、現像器、帯電器、現像器、露光ユニット、及び転写ローラ等によって画像形成部が構成される。
【００２６】
図１に示す例では、給紙カセット１６の下側に両面印刷ユニット（用紙反転ユニット）１９が装着されており、この用紙反転ユニット１９は画像形成装置本体１０に、その背面側（給紙カセット１６が装着される前面側と対向する側面）から着脱可能となっており、必要に応じて画像形成装置本体１０に装着される（つまり、用紙反転ユニット１９はオプションとして後から画像形成装置本体１０に組み込むことができる）。そして、この用紙反転ユニット１９を画像形成装置本体１０に組み込めば、後述するようにして、記録用紙に両面印刷を行うことができる。
【００２７】
図示の例では、用紙反転ユニット１９を画像形成装置本体１０に装着した状態で、その一端部（図中左端部）が画像形成装置本体１０の背面側から突出している。この突出部分内には用紙が搬送される搬送経路（両面印刷搬送経路）Ｒが規定され、そのの下部には用紙反転ローラ１９ｂが収納されている（以下この突出部分を単に経路規定部と呼ぶことにする）。経路規定部１９ａの上側部分には、両面印刷ユニットの外装の一部を構成する排紙受け部材（カバー部材）１９１が備えられており、後述するようにして、カバー部材１９１を開くと、このカバー部材１９１がフェイスアップトレイとして用いられる。また、カバー部材１９１が閉じられた状態では、カバー部材１９１は、搬送経路Ｒの上側部分を構成して、搬送経路Ｒを保護する役割を果たしている。
【００２８】
いま、カバー部材１９１を閉じた状態で、画像形成装置本体に設けられた操作パネル１０ａで片面プリントモードが選択されると、定着ユニット１８の後段に位置する経路切り替え部材２１が上面排紙トレイ排紙位置となって、定着ユニット１８から送出された記録用紙は、排紙経路Ｑを通って、画像形成装置本体の上面に形成された排紙トレイ１０ｂに、フェイスダウンで排紙される。
【００２９】
一方、カバー部材１９１を閉じた状態で、操作パネル１０ａで両面プリントモードを選択すると、経路切り替え部材２１が両面プリントモード位置となって、定着ユニット１８から送出された記録用紙は、搬送経路Ｒを通って、用紙反転ユニット１９内に搬送される。
【００３０】
搬送経路Ｒに記録用紙が搬送されると、反転用紙検知センサ（図示せず）によって記録用紙が検知され、制御装置（図示せず）は、用紙反転ローラ１９ｂを実線矢印で示す方向に回転駆動制御する。これによって、記録用紙は実線矢印で示す経路に沿って搬送されて、経路（以下反転経路と呼ぶ）Ｓに達する。
【００３１】
反転経路Ｓに配置された用紙検知センサ（図示せず）によって記録用紙が検出されると、制御装置は、用紙反転ローラ１９ｂを破線矢印で示す方向に回転駆動制御する。これによって、記録用紙が反転経路Ｓから破線矢印で示す方向に送出されて、経路（以下反転経路という）Ｔを通って搬送ローラ１９ｅによって搬送され、前述の用紙搬送経路Ｐに至り、レジストローラ対１６ｄに達する。
【００３２】
反転経路Ｔには用紙検知センサ（図示せず）が配置されており、この用紙検知センサによって用紙が検知されると、感光体ドラム１１が回転駆動されて、前述のようにして、帯電、露光が開始される。その後、前述したようにして、感光体ドラム１１上のトナー像が記録用紙の他面に転写されて、定着ユニット１８で定着される。そして、上面排紙トレイ排紙位置に復帰した経路切り替え部材２１によって、両面印刷がされた記録用紙が排紙経路Ｑを通って、画像形成装置本体の上面に形成された排紙トレイ１０ｂに排紙される。
【００３３】
ここで、図２を参照して、図２において、図１と同一の構成要素については同一の参照番号を付す。図示のように、定着ユニット１８（図２には示さず）の下流側において、用紙搬送路Ｐは排紙経路Ｑ及び搬送経路Ｒに分岐しており、この分岐点には、用紙搬送ローラ３１が配置されるとともに前述の経路切り替え部材２１が配置されている。
【００３４】
図３も参照して、前述の搬送経路Ｒはカバー部材１９１とこのカバー部材１９１に対向する経路規定部材（搬送リブ部材）３２とによって規定されており、経路規定部材３２は、略鉛直方向に延びる鉛直面（垂直面）３２ａ、円弧状面３２ｂ、及び略水平方向に延びる水平面３２ｃとを有しており、水平面３２ｃの一端（図２において右端）は前述の分岐点に達している。
【００３５】
一方、カバー部材１９１は略円弧状に形成されたカバー１９２を備え、カバー１９２の内側面には内側面に対して垂直方向に突出して、搬送経路Ｒに沿って円弧状に延びる複数のリブ３３が形成されている。カバー部材１９１は、前述の円弧状面３２ｂに対応して円弧状面３２ｂよりも上側に配置され、その一端（図２において下端）が、経路規定部１９ａに設けられた支点軸３４に対して回動自在となっている。
【００３６】
リブ３３の下端は、カバー部材１９１が閉じられた状態で、前述の支点軸３４よりも下側に位置しており、その最下点から搬送経路Ｒの上流側に向かって傾斜する傾斜辺３５が形成されている。つまり、最下点から経路規定部材３２に近づく方向に傾斜する傾斜辺３５が、リブ３３の下端に形成されている（言い換えると、カバー部材１９１が閉じられた状態でリブ３３の下端部には下流側に向かって外側に傾斜する傾斜辺３５が規定されている）。
【００３７】
そして、後述するように、カバー部材１９１を支点軸３４回りに回動して、カバー部材１９１を開くと、リブ３３の下端によって搬送経路Ｒが遮断される。
【００３８】
なお、図３に示すように、カバー部材１９１の両側端部にはフック部１９１ａが形成され、カバー部材１９１を閉じた際には、フック部１９１ａによって、カバー部材１９１は経路規定部１９ａに保持されることになる。
【００３９】
ここで、図３及び図４を参照して、いま、片面印刷において、ユーザがフェイスアップ排紙を行いたい場合には、モード操作パネルによって片面印刷モードを選択するとともに、ユーザがカバー部材１９１を支点軸３４回りに回動させて、カバー部材１９１を開くと（なお、この際には、カバー部材１９１は、図３に示すように、図示しないストッパーによって所定の回動角度で停止する）、図示しないカバー開閉検知センサからカバー開状態であることを示すカバー開信号が制御装置に与えられる。制御装置は、片面印刷モードが選択された際、カバー開信号を受けると、制御装置は、経路切り替え部材２１を両面印刷モード位置に位置づける。
【００４０】
前述したようにして、画像形成部で片面に画像が形成された記録用紙は定着ユニット１８を通って、分岐点に至る。この際、経路切り替え部材２１は両面印刷モード位置にあるから、記録用紙は排紙経路Ｑ側に送出されることなく、搬送経路Ｒ側に送出されることになる。そして、カバ部材ー１９１が開かれている状態であるから、搬送経路Ｒの途中から記録用紙ＳＴはカバー部材１９１の内側面に、フェイスアップで排紙されることになる。
【００４１】
カバー部材１９１に記録用紙を排紙する際には、リブ３３の下端が搬送経路Ｒを遮断しており、しかも前述のように、リブ３３の下端には傾斜辺３５が形成されているから、カバー部材１９１を開いた際には、図３に示すように、傾斜辺３５が上流側から下流側に向かって上向きに傾斜する状態となって、スムーズに記録用紙ＳＴを、カバー部材１９１にフェイスアップで排紙するとこができる。
【００４２】
さらに、図５に示すように、定着ユニット１８通過後の記録用紙ＳＴが下側にカールしている状態であっても、リブ３３の下端によって搬送経路Ｒが遮断された状態となっているから、記録用紙ＳＴが反転経路Ｓ側に侵入してしまうことがなく、しかも、前述のように、傾斜辺３５が上流側から下流側に向かって上向きに傾斜する状態となっているから、下側にカールしていたとしても、記録用紙ＳＴは傾斜辺３５に沿って排紙されることになる。
【００４３】
なお、両面印刷モードの際には、片面印刷された記録用紙ＳＴが搬送経路Ｒを通過の後、カバー部材１９１を開けば、カバー部材１９１上にフェイスアップで記録用紙ＳＴを排紙できることになる。また、カバー部材１９１とは別にカバー部材１９１の内側に開閉可能な排紙受け部材を設けるような構成とすることもできる。
【００４４】
【発明の効果】
以上説明したように、本発明によれば、両面印刷ユニットの経路規定部が画像形成装置の一側面から突出して、経路規定部に、所定の支点軸回りに回動可能に配置されて、閉状態の際両面印刷搬送経路を規定し、開状態となった際両面印刷搬送経路をその途中で遮断して定着ユニットを通過した記録用紙をフェイスアップ状態で受ける排紙受け部材を備えるようにしたから、両面印刷ユニットを画像形成装置に装着した場合においても、極めて簡単な構成で記録用紙を、フェイスアップ排紙することができるという効果がある。
【００４５】
本発明では、両面搬送経路が、定着ユニット側に位置して略水平に延びる水平部と、水平部の下流側に位置して円弧状に延びる円弧状部と、円弧状部の下流側に位置して略鉛直方向に延びる垂直部とを有して、排紙受け部材を水平部及び円弧状部に対応して設けて、円弧状部の下端に対応して支点軸を設けるようしたので、排紙受け部材を開くだけで、他の機構を必要とすることなく、定着ユニットから送り出された記録用紙を排紙受け部材で受けることができるという効果がある。
【００４６】
本発明では、排紙受け部材が、両面印刷ユニット本体外装の一部を構成し、両面印刷搬送経路を規定するカバーと、カバーの内側面に形成され、両面印刷搬送経路に沿って延びるリブ部とを有して、排紙受け部材が閉じられた際リブ部の下端が支点軸よりも下側に位置しているから、排紙受け部材が開状態となった際、リブ部の下端で両面印刷搬送経路がその途中で遮断されることになって、記録用紙が用紙反転部側に挿入されてしまうことがない。
【００４７】
本発明では、排紙受け部材が閉じられた状態で、リブ部の下端部には下流側に向かって外側に傾斜する傾斜部が規定されているから、排紙受け部材が開状態となった際、傾斜部が定着ユニット側から下流側に向かって上向きに傾斜する状態となって、記録用紙をスムーズに排紙することができるという効果がある。
【図面の簡単な説明】
【図１】本発明による両面印刷ユニットの一例が装着された画像形成装置を概略的に示す図である。
【図２】図１に示す両面印刷ユニットの一部を、排紙受け部材（カバー部材）を閉じた状態で示す断面図である。
【図３】図１に示す両面印刷ユニットの一部を排紙受け部材（カバー部材）を開いた状態で示す斜視図である。
【図４】図１に示す両面印刷ユニットの一部を排紙受け部材（カバー部材）を開いた状態の一例を示す断面図である。
【図５】図１に示す両面印刷ユニットの一部を排紙受け部材（カバー部材）を開いた状態の他の例を示す断面図である。
【符号の説明】
１０  画像形成装置本体
１１  感光体ドラム
１６  給紙カセット
１７  転写ローラ
１８  定着ユニット（定着ローラ対）
１９  両面印刷ユニット（用紙反転ユニット）
１９１  排紙受け部材（カバー部材）
２１  経路切り替え部材
３２  経路規定部材（搬送リブ部材）
３３  リブ
３４  支点軸
３５  傾斜辺
【図１】
2004323216.tif 000003
【図２】
2004323216.tif 000004
【図３】
2004323216.tif 000005
【図４】
2004323216.tif 000006
【図５】
2004323216.tif 000007